(57)【要約】【課題】諸収差が良好に補正される撮像レンズを提供する。【解決手段】撮像レンズは物体側から、正の屈折力を有する第１レンズＬ１と、負の屈折力を有する第２レンズＬ２と、正の屈折力を有する第３レンズＬ３と、負の屈折力を有する第４レンズＬ４と、正の屈折力を有する第５レンズＬ５と、負の屈折力を有する第６レンズＬ６とを備える。第１レンズＬ１は曲率半径が正となる物体側の面を有する。第２レンズＬ２は曲率半径が共に正となる物体側の面および像面側の面を有する。第３レンズＬ３は、曲率半径が正となる物体側の面および曲率半径が負となる像面側の面を有する。第５レンズＬ５は変曲点を有する非球面形状の物体側の面を有する。第６レンズＬ６は変曲点を有する非球面形状の像面側の面を有する。当該構成において第１レンズＬ１から第４レンズＬ４までの各レンズは、第５レンズＬ５および第６レンズＬ６のそれぞれの屈折力よりも弱い屈折力を有する。【選択図】図１
2014026254.tif 000002
【特許請求の範囲】
【請求項１】
物体側から像面側に向かって順に、正の屈折力を有する第１レンズと、負の屈折力を有する第２レンズと、正の屈折力を有する第３レンズと、負の屈折力を有する第４レンズと、正の屈折力を有する第５レンズと、負の屈折力を有する第６レンズとを配置して構成され、
前記第１レンズは曲率半径が正となる物体側の面を有し、
前記第２レンズは曲率半径が共に正となる物体側の面および像面側の面を有し、
前記第３レンズは、曲率半径が正となる物体側の面および曲率半径が負となる像面側の面を有し、
前記第５レンズは、変曲点を有する非球面形状の物体側の面を有し、
前記第６レンズは、変曲点を有する非球面形状の像面側の面を有し、
前記第１レンズから前記第４レンズまでの各レンズは、前記第５レンズおよび前記第６レンズのそれぞれの屈折力よりも弱い屈折力を有する、撮像レンズ。
【請求項２】
前記第４レンズは曲率半径が共に負となる物体側の面および像面側の面を有する、
請求項１に記載の撮像レンズ。
【請求項３】
前記第１レンズの焦点距離をｆ１、前記第２レンズの焦点距離をｆ２としたとき、
−１．５＜ｆ１／ｆ２＜−０．４
を満足する請求項１または２に記載の撮像レンズ。
【請求項４】
レンズ系全体の焦点距離をｆ、前記第３レンズの焦点距離をｆ３としたとき、
０．５＜ｆ３／ｆ＜２．０
を満足する請求項１〜３のいずれか一項に記載の撮像レンズ。
【請求項５】
前記第２レンズの物体側の面の曲率半径をＲ２ｆ、前記第２レンズの像面側の面の曲率半径をＲ２ｒとしたとき、
０．４＜Ｒ２ｒ／Ｒ２ｆ＜０．８
を満足する請求項１〜４のいずれか一項に記載の撮像レンズ。
【請求項６】
レンズ系全体の焦点距離をｆ、前記第４レンズの焦点距離をｆ４としたとき、
−５．０＜ｆ４／ｆ＜−１．０
を満足する請求項１〜５のいずれか一項に記載の撮像レンズ。
【請求項７】
前記第５レンズの焦点距離をｆ５、前記第６レンズの焦点距離をｆ６としたとき、
−２．０＜ｆ５／ｆ６＜−０．５
を満足する請求項１〜６のいずれか一項に記載の撮像レンズ。
【請求項８】
前記第１レンズのアッベ数をνｄ１、前記第３レンズのアッベ数をνｄ３、前記第５レンズのアッベ数をνｄ５、前記第６レンズのアッベ数をνｄ６としたとき、
４５＜νｄ１＜７５
４５＜νｄ３＜７５
４５＜νｄ５＜７５
４５＜νｄ６＜７５
を満足する請求項１〜７のいずれか一項に記載の撮像レンズ。
【請求項９】
前記第２レンズのアッベ数をνｄ２、前記第４レンズのアッベ数をνｄ４としたとき、
２０＜νｄ２＜４０
２０＜νｄ４＜４０
を満足する請求項８に記載の撮像レンズ。
【発明の詳細な説明】
【技術分野】
【０００１】
本発明は、ＣＣＤセンサやＣＭＯＳセンサ等の撮像素子上に被写体像を形成する撮像レンズに係り、携帯電話機や携帯情報端末等の携帯機器に内蔵されるカメラ、デジタルスティルカメラ、セキュリティカメラ、車載カメラ、ネットワークカメラ等の比較的小型のカメラへの組み込みが好適な撮像レンズに関するものである。
【背景技術】
【０００２】
近年、通話主体の携帯電話機に代わり、携帯電話機に携帯情報端末（PDA）やパーソナルコンピュータの機能を付加した、いわゆるスマートフォン（smartphone）が普及してきている。スマートフォンは携帯電話機に比べて高機能であるため、カメラで撮影された画像は様々なアプリケーションで利用されることになる。例えば、スマートフォンを利用することにより、撮影した画像を印刷して観賞するといった用途の他に、当該画像を加工してゲームのキャラクタ等に利用したり、スマートフォンの表示画面において化粧シミュレーションや衣服の試着シミュレーション等を行ったりすることができるようになる。このような従来では一般的ではなかった撮影画像の利用用途は若年者層を中心に定着しつつある。
【０００３】
ところで、一般的に携帯電話機やスマートフォンの製品群は、初級者向けの製品から上級者向けの製品まで様々な仕様の製品から構成されることが多い。このうち上級者向けに開発された製品に組み込まれる撮像レンズには、近年の高画素化された撮像素子にも対応することのできる解像度の高いレンズ構成が要求される。一方で上述のような用途に使用されるスマートフォンに組み込まれる撮像レンズに対しては、高解像度であることよりもむしろ小型であることや画角が広いこと、すなわち広角であることの方が重要な要素として要求される。特に最近ではスマートフォンの小型化や高機能化に伴ってより小型で広角の撮像レンズが要求されるようになってきている。
【０００４】
とは言うものの、初級者向けの製品であってもある程度の高い解像度が要求されるのも事実である。６枚のレンズから成るレンズ構成は、撮像レンズを構成するレンズの枚数が多いことから撮像レンズの小型化に対しては若干不利となるものの、設計上の自由度が高いため、諸収差の良好な補正や撮像レンズの小型化をバランスよく実現できる可能性を秘めている。例えば、６枚のレンズから成るレンズ構成として特許文献１に記載の撮像レンズが知られている。
【０００５】
特許文献１に記載の撮像レンズは、物体側に凸面を向けたメニスカス形状の負の第１レンズと、正負２枚のレンズから構成される接合レンズと、正の第４レンズと、正負２枚のレンズから構成される接合レンズとが配置されて構成される。この特許文献１の撮像レンズでは、第１レンズの物体側の面および像面側の面の曲率半径に関する条件式、および２枚の接合レンズに関する条件式をそれぞれ満足することにより歪曲収差および色収差の良好な補正を実現する。
【先行技術文献】
【特許文献】
【０００６】
【特許文献１】特開２０１１−１４５３１５号公報
【発明の概要】
【発明が解決しようとする課題】
【０００７】
しかしながら、上記特許文献１に記載の撮像レンズは第１レンズの物体側の面から撮像素子の像面までの距離が長いため、当該撮像レンズを携帯電話機やスマートフォン等の小型のカメラに組込むためには、撮像レンズと像面との間にプリズムあるいはミラーを配置して光路を折り曲げる必要がある。携帯電話機やスマートフォンの高機能化や小型化は年々進展しており、撮像レンズに要求される小型化のレベルは以前にも増して高くなってきている。上記特許文献１に記載のレンズ構成では、こうした要求に応えて撮像レンズの小型化を図りつつ良好な収差補正を実現することは困難である。
【０００８】
なお、こうした課題は携帯電話機やスマートフォンに組み込まれる撮像レンズに特有の課題ではなく、デジタルスティルカメラ、携帯情報端末、セキュリティカメラ、車載カメラ、ネットワークカメラ等の比較的小型のカメラに組み込まれる撮像レンズにおいても共通の課題である。
【０００９】
本発明の目的は、諸収差を良好に補正することができる撮像レンズを提供することにある。また、本発明の第二の目的は、撮像レンズの小型化と良好な収差補正との両立を図ることのできる撮像レンズを提供することにある。
【課題を解決するための手段】
【００１０】
上記第一の目的を達成するために本発明の撮像レンズは、物体側から像面側に向かって順に、正の屈折力を有する第１レンズと、負の屈折力を有する第２レンズと、正の屈折力を有する第３レンズと、負の屈折力を有する第４レンズと、正の屈折力を有する第５レンズと、負の屈折力を有する第６レンズとを配置して構成される。第１レンズは曲率半径が正となる物体側の面を有する。第２レンズは曲率半径が共に正となる物体側の面および像面側の面を有する。第３レンズは、曲率半径が正となる物体側の面および曲率半径が負となる像面側の面を有する。第５レンズは、変曲点を有する非球面形状の物体側の面を有する。第６レンズは、変曲点を有する非球面形状の像面側の面を有する。また、第１レンズから第４レンズまでの各レンズは、第５レンズおよび第６レンズのそれぞれの屈折力よりも弱い屈折力を有する。
【００１１】
本発明の撮像レンズは、第５レンズおよび第６レンズの屈折力が他の各レンズの屈折力よりも強くなっており、しかも第５レンズは物体側の面が変曲点を有する非球面形状に形成され、一方の第６レンズは像面側の面が変曲点を有する非球面形状に形成される。このため、第５レンズは光軸近傍において正の屈折力を有するとともに、周辺部において負の屈折力を有する。一方、第６レンズは光軸近傍において負の屈折力を有するとともに、周辺部において正の屈折力を有することになる。これにより、光軸近傍における色収差および球面収差が良好に補正されるとともに、軸外の倍率色収差およびコマ収差も良好に補正される。なお、第１レンズ、第２レンズ、および第３レンズの屈折力の配列が正負正であるため、本発明の撮像レンズのレンズ構成は、諸収差を良好に補正しつつ撮像レンズの小型化を図る上で有利な構成でもある。
【００１２】
上記構成の撮像レンズにおいて第４レンズは、曲率半径が共に負となる物体側の面および像面側の面を有する形状に形成されることが望ましい。
【００１３】
また、上記構成の撮像レンズにおいて、第５レンズは、曲率半径が正となる物体側の面および曲率半径が負となる像面側の面を有する形状に形成され、第６レンズは、曲率半径が負となる物体側の面および曲率半径が正となる像面側の面を有する形状に形成されることが望ましい。
【００１４】
上記第二の目的を達成するために上記構成の撮像レンズにおいては、第１レンズの焦点距離をｆ１、第２レンズの焦点距離をｆ２としたとき、次の条件式（１）を満足することが望ましい。
−１．５＜ｆ１／ｆ２＜−０．４              （１）
【００１５】
条件式（１）は、撮像レンズの小型化を図りつつ、色収差、非点収差を良好に補正するとともに像面湾曲を好ましい範囲内に抑制するための条件である。上限値「−０．４」を超えると、正の屈折力を有する第１レンズに対して第２レンズの有する負の屈折力が相対的に弱くなるため、撮像レンズの小型化には有利となる。しかし、軸上の色収差が補正不足（基準波長の焦点位置に対して短波長の焦点位置が物体側に移動）となるとともに非点収差が増大するため、良好な結像性能を得ることが困難となる。また、結像面の周辺部が物体側に湾曲するため、像面湾曲を好ましい範囲内に抑制することが困難となる。一方、下限値「−１．５」を下回ると、第１レンズに対して第２レンズの屈折力が相対的に強くなるため射出瞳の位置が物体側に移動することとなり、撮像レンズの小型化が困難となる。また、軸上の色収差が補正過剰（基準波長の焦点位置に対して短波長の焦点位置が像面側に移動）になるとともに軸外の倍率色収差が補正過剰（基準波長の結像点に対して短波長の結像点が光軸から遠ざかる方向に移動）になる。また、非点収差が増大するため、この場合も良好な結像性能を得ることが困難となる。
【００１６】
上記構成の撮像レンズにおいては、レンズ系全体の焦点距離をｆ、第３レンズの焦点距離をｆ３としたとき、次の条件式（２）を満足することが望ましい。
０．５＜ｆ３／ｆ＜２．０                    （２）
【００１７】
条件式（２）は、撮像レンズの小型化を図りつつ、非点収差を良好に補正するとともに像面湾曲を好ましい範囲内に抑制するための条件である。上限値「２．０」を超えると、レンズ系全体の屈折力に対して第３レンズの屈折力が相対的に弱くなるため、結像面の周辺部が像面側に湾曲することとなり、像面湾曲を好ましい範囲内に抑制することが困難となる。また、撮像レンズの小型化が困難となる。一方、下限値「０．５」を下回ると、レンズ系全体の屈折力に対して第３レンズの屈折力が相対的に強くなるため、非点隔差が増大することとなり、良好な結像性能を得ることが困難となる。
【００１８】
上記構成の撮像レンズにおいては、第２レンズの物体側の面の曲率半径をＲ２ｆ、第２レンズの像面側の面の曲率半径をＲ２ｒとしたとき、次の条件式（３）を満足することが望ましい。
０．４＜Ｒ２ｒ／Ｒ２ｆ＜０．８              （３）
【００１９】
条件式（３）は、撮像レンズの小型化を図りつつ、コマ収差、色収差、および像面湾曲を好ましい範囲内にバランスよく抑制するための条件である。上限値「０．８」を超えると、第２レンズの屈折力が弱くなるため撮像レンズの小型化には有利となるものの、軸上の色収差が補正不足となるとともに内方コマが発生するため、良好な結像性能を得ることが困難となる。一方、下限値「０．４」を下回ると、射出瞳の位置が物体側に移動するため、撮像レンズから出射した光線の撮像素子への入射角度を予め定められた範囲内に抑制し易くなるものの、撮像レンズの小型化が困難となる。また、軸上の色収差が補正過剰になるとともに結像面の周辺部が像面側に湾曲するため、良好な結像性能を得ることが困難となる。
【００２０】
上記構成の撮像レンズにおいては、レンズ系全体の焦点距離をｆ、第４レンズの焦点距離をｆ４としたとき、次の条件式（４）を満足することが望ましい。
−５．０＜ｆ４／ｆ＜−１．０                （４）
【００２１】
条件式（４）は、バックフォーカスを確保しつつ、像面湾曲および非点収差を好ましい範囲内に抑制するための条件である。撮像レンズと撮像素子の像面との間には赤外線カットフィルタやカバーガラス等の挿入物を配置することが多く、この挿入物を配置するためのスペースが必要になる。上限値「−１．０」を超えると、バックフォーカスを確保し易くなるものの、結像面の周辺部が像面側に湾曲するため良好な結像性能を得ることが困難となる。一方、下限値「−５．０」を下回ると、軸上の色収差が補正不足になるとともに軸外の倍率色収差が補正不足（基準波長の結像点に対して短波長の結像点が光軸に近づく方向に移動）となるため、良好な結像性能を得ることが困難となる。また、結像面の周辺部が物体側に湾曲するため像面湾曲を好ましい範囲内に抑制することが困難となる。
【００２２】
上記構成の撮像レンズにおいては、第５レンズの焦点距離をｆ５、第６レンズの焦点距離をｆ６としたとき、次の条件式（５）を満足することが望ましい。
−２．０＜ｆ５／ｆ６＜−０．５                （５）
【００２３】
条件式（５）は、撮像レンズの小型化を図りつつ、像面湾曲および色収差を良好に補正するための条件である。上述のように、本発明に係る撮像レンズでは第５レンズが正の屈折力を有し、第６レンズが負の屈折力を有している。上限値「−０．５」を超えると、第６レンズの負の屈折力に対して第５レンズの正の屈折力が強くなるため、射出瞳の位置が物体側に移動することとなり、撮像レンズの小型化が困難となる。また、結像面の周辺部が像面側に湾曲するため、良好な結像性能を得ることが困難となる。一方、下限値「−２．０」を下回ると、第６レンズの負の屈折力に対して第５レンズの正の屈折力が弱くなるため射出瞳の位置が像面側に移動することとなり、撮像レンズの小型化には有利となるものの、軸上の色収差および軸外の倍率色収差が共に補正不足となり、良好な結像性能を得ることが困難となる。また、結像面の周辺部が物体側に湾曲するため、像面湾曲を良好な範囲内に抑制することが困難となる。
【００２４】
上記構成の撮像レンズにおいては、第１レンズのアッベ数をνｄ１、第３レンズのアッベ数をνｄ３、第５レンズのアッベ数をνｄ５、第６レンズのアッベ数をνｄ６としたとき、次の条件式（６）〜（９）を満足することが望ましい。
４５＜νｄ１＜７５                          （６）
４５＜νｄ３＜７５                          （７）
４５＜νｄ５＜７５                          （８）
４５＜νｄ６＜７５                          （９）
【００２５】
条件式（６）〜（９）は、軸上および軸外の色収差を良好に補正するための条件である。６枚のレンズのうち４枚のレンズのアッベ数を下限値「４５」よりも大きな値にすることにより、これら４枚のレンズにて発生する色収差が有効に抑制されるため、レンズ系全体の色収差が良好な範囲内に好適に抑制されることになる。また、各レンズのアッベ数を上限値「７５」よりも小さな値にすることにより、レンズ材料のコストを抑制することができる。
【００２６】
上記構成の撮像レンズにおいては、軸上および軸外の色収差をより良好に補正するために、第２レンズのアッベ数をνｄ２、第４レンズのアッベ数をνｄ４としたとき、次の条件式（１０）および（１１）を満足することが望ましい。
２０＜νｄ２＜４０                        （１０）
２０＜νｄ４＜４０                        （１１）
【発明の効果】
【００２７】
本発明の撮像レンズによれば、諸収差が良好に補正された撮像レンズを提供することができる。また、諸収差が良好に補正された高い解像度を有しながらも、小型のカメラへの組込みに特に適した小型の撮像レンズを提供することができる。
【図面の簡単な説明】
【００２８】
【図１】本発明の一実施の形態について、数値実施例１に係る撮像レンズの概略構成を示す断面図である。
【図２】図１に示す撮像レンズの横収差を示す収差図である。
【図３】図１に示す撮像レンズの球面収差、非点収差、歪曲収差を示す収差図である。
【図４】本発明の一実施の形態について、数値実施例２に係る撮像レンズの概略構成を示す断面図である。
【図５】図４に示す撮像レンズの横収差を示す収差図である。
【図６】図４に示す撮像レンズの球面収差、非点収差、歪曲収差を示す収差図である。
【図７】本発明の一実施の形態について、数値実施例３に係る撮像レンズの概略構成を示す断面図である。
【図８】図７に示す撮像レンズの横収差を示す収差図である。
【図９】図７に示す撮像レンズの球面収差、非点収差、歪曲収差を示す収差図である。
【図１０】本発明の一実施の形態について、数値実施例４に係る撮像レンズの概略構成を示す断面図である。
【図１１】図１０に示す撮像レンズの横収差を示す収差図である。
【図１２】図１０に示す撮像レンズの球面収差、非点収差、歪曲収差を示す収差図である。
【図１３】本発明の一実施の形態について、数値実施例５に係る撮像レンズの概略構成を示す断面図である。
【図１４】図１３に示す撮像レンズの横収差を示す収差図である。
【図１５】図１３に示す撮像レンズの球面収差、非点収差、歪曲収差を示す収差図である。
【図１６】本発明の一実施の形態について、数値実施例６に係る撮像レンズの概略構成を示す断面図である。
【図１７】図１６に示す撮像レンズの横収差を示す収差図である。
【図１８】図１６に示す撮像レンズの球面収差、非点収差、歪曲収差を示す収差図である。
【図１９】本発明の一実施の形態について、数値実施例７に係る撮像レンズの概略構成を示す断面図である。
【図２０】図１９に示す撮像レンズの横収差を示す収差図である。
【図２１】図１９に示す撮像レンズの球面収差、非点収差、歪曲収差を示す収差図である。
【図２２】本発明の一実施の形態について、数値実施例８に係る撮像レンズの概略構成を示す断面図である。
【図２３】図２２に示す撮像レンズの横収差を示す収差図である。
【図２４】図２２に示す撮像レンズの球面収差、非点収差、歪曲収差を示す収差図である。
【発明を実施するための形態】
【００２９】
以下、本発明を具体化した一実施の形態について、図面を参照しながら詳細に説明する。
【００３０】
図１、図４、図７、図１０、図１３、図１６、図１９、および図２２は、本実施の形態の数値実施例１〜８に係る撮像レンズの概略構成を示す断面図である。いずれの数値実施例も基本的なレンズ構成は同一であるため、ここでは数値実施例１の概略断面図を参照しながら、本実施の形態に係る撮像レンズのレンズ構成について説明する。
【００３１】
図１に示すように本実施の形態に係る撮像レンズは、物体側から像面側に向かって順に、正の屈折力を有する第１レンズＬ１と、負の屈折力を有する第２レンズＬ２と、正の屈折力を有する第３レンズＬ３と、負の屈折力を有する第４レンズＬ４と、正の屈折力を有する第５レンズＬ５と、負の屈折力を有する第６レンズＬ６とが配列されて構成される。第６レンズＬ６と像面ＩＭとの間にはフィルタ１０が配置される。このフィルタ１０は割愛することも可能である。
【００３２】
本実施の形態に係る撮像レンズでは、第１レンズＬ１から第４レンズＬ４までの各レンズの屈折力が第５レンズＬ５および第６レンズＬ６のそれぞれの屈折力よりも弱くなっている。換言すれば、本実施の形態の撮像レンズは、第１レンズＬ１の焦点距離をｆ１、第２レンズＬ２の焦点距離をｆ２、第３レンズＬ３の焦点距離をｆ３、第４レンズＬ４の焦点距離をｆ４、第５レンズＬ５の焦点距離をｆ５、および第６レンズＬ６の焦点距離をｆ６としたとき、「（ｆ１，｜ｆ２｜，ｆ３，｜ｆ４｜）＞（ｆ５，｜ｆ６｜）」なる関係式を満足する。
【００３３】
また、図１に示されるように、第１レンズＬ１と第２レンズＬ２との間には開口絞りＳＴが配置される。なお、本実施の形態に係る撮像レンズにおいて、開口絞りＳＴの位置は限定されない。数値実施例１〜５の撮像レンズは、第１レンズＬ１と第２レンズＬ２との間に開口絞りＳＴが配置される例、いわゆる中絞りタイプのレンズ構成の例である。一方、数値実施例６〜８の撮像レンズは、第１レンズＬ１の物体側に開口絞りＳＴが配置される例、いわゆる前絞りタイプのレンズ構成の例である。中絞りタイプのレンズ構成によれば、撮像レンズの光学全長に比較して第１レンズＬ１の有効径が大きくなることから、カメラにおける撮像レンズの存在感が強調され、当該カメラの意匠の一部として高級感やレンズ性能の高さ等をユーザに訴えることが可能となる。他方、前絞りタイプのレンズ構成の場合には、撮像レンズの組立性の向上や製造コストの低減を図ることができる。この前絞りタイプのレンズ構成は、撮像レンズの光学全長を比較的短縮し易いといった特徴も併せ持つため、携帯電話機や近年普及しているスマートフォン等の携帯機器への組み込みに対して有効なレンズ構成でもある。
【００３４】
上記構成の撮像レンズにおいて第１レンズＬ１は、物体側の面の曲率半径ｒ１が正となり、像面側の面の曲率半径ｒ２が負となる形状であって、光軸Ｘの近傍において両凸レンズとなる形状に形成される。この第１レンズＬ１の形状は本数値実施例１に係る形状に限定されるものではない。第１レンズＬ１の形状は、物体側の面の曲率半径ｒ１が正となる形状であればよく、像面側の面の曲率半径ｒ２が正となる形状、すなわち光軸Ｘの近傍において物体側に凸面を向けたメニスカスレンズとなる形状でもよい。
【００３５】
第２レンズＬ２は、物体側の面の曲率半径ｒ４および像面側の面の曲率半径ｒ５が共に正となる形状であって、光軸Ｘの近傍において物体側に凸面を向けたメニスカスレンズとなる形状に形成される。第３レンズＬ３は、物体側の面の曲率半径ｒ６が正となり、像面側の面の曲率半径ｒ７が負となる形状であって、光軸Ｘの近傍において両凸レンズとなる形状に形成される。
【００３６】
第４レンズＬ４は、物体側の面の曲率半径ｒ８および像面側の面の曲率半径ｒ９が共に負となる形状であって、光軸Ｘの近傍において物体側に凹面を向けたメニスカスレンズとなる形状に形成される。第４レンズＬ４の形状としてはこの他にも、光軸Ｘの近傍において物体側に凸面を向けたメニスカスレンズとなる形状や、光軸Ｘの近傍において両凹レンズとなる形状でもよい。第４レンズＬ４は、屈折力が負であれば様々な形状に形成することが可能である。
【００３７】
第５レンズＬ５は、物体側の面の曲率半径ｒ１０が正となり、像面側の面の曲率半径ｒ１１が負となる形状であって、光軸Ｘの近傍において両凸レンズとなる形状に形成される。このうち物体側の面は、変曲点を有する非球面形状に形成される。具体的には、第５レンズＬ５の物体側の面は、光軸Ｘの近傍において正の屈折力を有するとともに、最大像高に対する各像高の比Ｈ（以下、「像高比Ｈ」という）が「０．７」となる位置近傍から周辺部に向かって負の屈折力を有するような非球面形状に形成される。
【００３８】
第６レンズＬ６は、物体側の面の曲率半径ｒ１２が負となり、像面側の面の曲率半径ｒ１３が正となる形状であって、光軸Ｘの近傍において両凹レンズとなる形状に形成される。このうち像面側の面は、変曲点を有する非球面形状に形成される。具体的には、第６レンズＬ６の像面側の面は、光軸Ｘの近傍において負の屈折力を有するとともに、像高比Ｈが「０．７」となる位置近傍から周辺部に向かって正の屈折力を有するような非球面形状に形成される。
【００３９】
上述のように第５レンズＬ５および第６レンズＬ６は他のレンズに比較して強い屈折力を有している。これら第５レンズＬ５の物体側の面、第６レンズＬ６の像面側の面にそれぞれ変曲点を設けることにより、光軸近傍における色収差や球面収差の良好な補正はもとより、軸外光束のコマ収差や倍率色収差が良好に補正されることになる。
【００４０】
また、第５レンズＬ５および第６レンズＬ６のこのような形状によってテレセントリック特性の確保も容易となる。周知のように、撮像素子にはその構造上、センサーに取り込むことのできる光線の入射角度の範囲として主光線角度（Chief Ray Angle）が予め定められている。本実施の形態の撮像レンズによれば、撮像レンズから出射した光線の像面ＩＭへの入射角度は主光線角度よりも小さな角度に抑制されるため、撮影した画像の周辺部が中心部に比較して暗くなる現象、いわゆるシェーディングの発生が好適に抑制される。
【００４１】
本実施の形態に係る撮像レンズは、以下に示す条件式（１）〜（１１）を満足する。
−１．５＜ｆ１／ｆ２＜−０．４      （１）
０．５＜ｆ３／ｆ＜２．０            （２）
０．４＜Ｒ２ｒ／Ｒ２ｆ＜０．８      （３）
−５．０＜ｆ４／ｆ＜−１．０        （４）
−２．０＜ｆ５／ｆ６＜−０．５      （５）
４５＜νｄ１＜７５                  （６）
４５＜νｄ３＜７５                  （７）
４５＜νｄ５＜７５                  （８）
４５＜νｄ６＜７５                  （９）
２０＜νｄ２＜４０                （１０）
２０＜νｄ４＜４０                （１１）
但し、
ｆ：レンズ系全体の焦点距離
ｆ１：第１レンズＬ１の焦点距離
ｆ２：第２レンズＬ２の焦点距離
ｆ３：第３レンズＬ３の焦点距離
ｆ４：第４レンズＬ４の焦点距離
ｆ５：第５レンズＬ５の焦点距離
ｆ６：第６レンズＬ６の焦点距離
Ｒ２ｆ：第２レンズＬ２の物体側の面の曲率半径
Ｒ２ｒ：第２レンズＬ２の像面側の面の曲率半径
νｄ１：第１レンズＬ１のアッベ数
νｄ２：第２レンズＬ２のアッベ数
νｄ３：第３レンズＬ３のアッベ数
νｄ４：第４レンズＬ４のアッベ数
νｄ５：第５レンズＬ５のアッベ数
νｄ６：第６レンズＬ６のアッベ数
【００４２】
なお、上記各条件式の全てを満たす必要はなく、上記各条件式のそれぞれを単独に満たすことにより、各条件式に対応する作用効果をそれぞれ得ることができる。
【００４３】
本実施の形態では各レンズのレンズ面が非球面で形成されている。これらレンズ面に採用される非球面形状は、光軸方向の軸をＺ、光軸に直交する方向の高さをＨ、円錐係数をｋ、非球面係数をＡ4、Ａ6、Ａ8、Ａ10、Ａ12、Ａ14、Ａ16としたとき、次式により表される。
【数１】
2014026254.tif 000003
【００４４】
次に、本実施の形態に係る撮像レンズの数値実施例を示す。各数値実施例において、ｆはレンズ系全体の焦点距離、ＦｎｏはＦナンバー、ωは半画角をそれぞれ示す。ｉは物体側より数えた面番号、ｒは曲率半径、ｄは光軸上のレンズ面間の距離（面間隔）、ｎｄは屈折率、νｄはアッベ数をそれぞれ示す。なお、＊（アスタリスク）の符号が付加された面番号は非球面であることを示す。
【００４５】
数値実施例１
基本的なレンズデータを以下に示す。
f=4.44mm、Fno=2.3、ω=32.7°
単位    ｍｍ
面データ
面番号ｉ          ｒ           ｄ      ｎｄ    νｄ
（物面）          ∞           ∞
1*         2.298        0.589    1.5350    56.1(=νd1)
2*        -5.767       -0.025
3(絞り)       ∞        0.060
4*         2.077(=R2f)  0.305    1.6355    24.0(=νd2)
5*         1.279(=R2r)  0.292
6*        20.522        0.606    1.5350    56.1(=νd3)
7*        -5.480        0.459
8*        -1.245        0.320    1.6142    26.0(=νd4)
9*        -1.904        0.024
10*         7.260        0.549    1.5350    56.1(=νd5)
11*        -1.667        0.134
12*        -3.323        0.550    1.5350    56.1(=νd6)
13*         1.783        0.300
14             ∞        0.300    1.5168    64.2
15             ∞        0.669
（像面）          ∞
f1=3.14mm
f2=-6.10mm
f3=8.12mm
f4=-7.12mm
f5=2.58mm
f6=-2.08mm
【００４６】
非球面データ
第１面
ｋ=-3.633E-01,Ａ4=-5.934E-03,Ａ6=8.824E-03,Ａ8=-3.227E-02,
Ａ10=2.020E-02,Ａ12=2.503E-03,Ａ14=-8.051E-03
第２面
ｋ=-9.392E+01,Ａ4=-3.476E-03,Ａ6=-1.218E-02,Ａ8=3.560E-02,
Ａ10=-4.848E-02,Ａ12=8.882E-03,Ａ14=3.214E-03
第４面
ｋ=-9.984,Ａ4=1.580E-02,Ａ6=-2.296E-02,Ａ8=4.445E-02,
Ａ10=-7.259E-02,Ａ12=7.597E-03,Ａ14=7.588E-03,Ａ16=-2.978E-03
第５面
ｋ=-4.848,Ａ4=3.950E-02,Ａ6=-1.582E-02,Ａ8=-2.002E-02,
Ａ10=-7.693E-03,Ａ12=5.643E-04,Ａ14=1.799E-03,Ａ16=1.562E-03
第６面
ｋ=-8.770E+01,Ａ4=1.080E-02,Ａ6=1.625E-02,Ａ8=-3.411E-03,
Ａ10=3.710E-02,Ａ12=-1.279E-02,Ａ14=2.855E-03,Ａ16=1.869E-03
第７面
ｋ=-5.087,Ａ4=-2.262E-02,Ａ6=1.277E-02,Ａ8=-7.512E-02,
Ａ10=5.033E-02,Ａ12=-6.250E-03,Ａ14=-1.887E-03,Ａ16=-1.276E-03
第８面
ｋ=3.943E-01,Ａ4=2.364E-01,Ａ6=-1.608E-01,Ａ8=1.211E-01,
Ａ10=-2.761E-02,Ａ12=5.954E-03,Ａ14=7.095E-03
第９面
ｋ=-7.050E-01,Ａ4=-4.347E-02,Ａ6=4.604E-02,Ａ8=5.966E-03,
Ａ10=-9.041E-04,Ａ12=-3.640E-03
第１０面
ｋ=-3.949E+01,Ａ4=-1.336E-01,Ａ6=4.439E-02,Ａ8=-1.182E-02,
Ａ10=-2.409E-03,Ａ12=-1.966E-03
第１１面
ｋ=-1.373E+01,Ａ4=3.197E-02,Ａ6=-1.606E-02,Ａ8=-2.189E-03,
Ａ10=4.846E-04,Ａ12=1.757E-04
第１２面
ｋ=-3.655,Ａ4=2.248E-03,Ａ6=3.961E-03,Ａ8=9.349E-05,
Ａ10=-4.493E-05,Ａ12=-4.198E-05,Ａ14=4.665E-07,Ａ16=1.121E-06
第１３面
ｋ=-2.377E+01,Ａ4=-4.720E-02,Ａ6=5.582E-03,Ａ8=-6.809E-04,
Ａ10=8.354E-06,Ａ12=7.206E-06,Ａ14=5.563E-07,Ａ16=-3.472E-07
【００４７】
各条件式の値を以下に示す。
ｆ１／ｆ２＝−０．５２
ｆ３／ｆ＝１．８３
Ｒ２ｒ／Ｒ２ｆ＝０．６２
ｆ４／ｆ＝−１．６０
ｆ５／ｆ６＝−１．２４
このように、本数値実施例１に係る撮像レンズは上記各条件式を満足する。第１レンズＬ１の物体側の面から像面ＩＭまでの光軸Ｘ上の距離（空気換算長）は５．０３ｍｍであり、撮像レンズの小型化が図られている。
【００４８】
図２は、数値実施例１の撮像レンズについて、像高比Ｈに対応する横収差をタンジェンシャル方向とサジタル方向とに分けて示したものである（図５、図８、図１１、図１４、図１７、図２０、および図２３においても同じ）。また、図３は、数値実施例１の撮像レンズについて、球面収差（ｍｍ）、非点収差（ｍｍ）、および歪曲収差（％）をそれぞれ示したものである。これら収差図において、横収差図および球面収差図には、ｇ線（４３５．８４ｎｍ）、ｅ線（５４６．０７ｎｍ）、Ｃ線（６５６．２７ｎｍ）の各波長に対する収差量を示し、非点収差図には、サジタル像面Ｓの収差量とタンジェンシャル像面Ｔの収差量とをそれぞれ示す（図６、図９、図１２、図１５、図１８、図２１、および図２４においても同じ）。図２および図３に示されるように、本数値実施例１に係る撮像レンズによれば諸収差が良好に補正される。
【００４９】
数値実施例２
基本的なレンズデータを以下に示す。
f=4.13mm、Fno=2.1、ω=34.6°
単位    ｍｍ
面データ
面番号ｉ          ｒ           ｄ      ｎｄ    νｄ
（物面）          ∞           ∞
1*         2.442        0.565    1.5350    56.1(=νd1)
2*        -5.109       -0.025
3(絞り)       ∞        0.063
4*         2.787(=R2f)  0.339    1.6355    24.0(=νd2)
5*         1.205(=R2r)  0.221
6*         4.063        0.606    1.5350    56.1(=νd3)
7*        -4.223        0.493
8*        -1.252        0.347    1.6142    26.0(=νd4)
9*        -1.864        0.025
10*         4.269        0.514    1.5350    56.1(=νd5)
11*        -1.899        0.124
12*        -3.182        0.415    1.5350    56.1(=νd6)
13*         1.945        0.300
14             ∞        0.300    1.5168    64.2
15             ∞        0.815
（像面）          ∞
f1=3.16mm
f2=-3.61mm
f3=3.96mm
f4=-7.87mm
f5=2.52mm
f6=-2.19mm
【００５０】
非球面データ
第１面
ｋ=-5.302E-01,Ａ4=-8.012E-03,Ａ6=1.071E-02,Ａ8=-3.000E-02,
Ａ10=2.012E-02,Ａ12=2.364E-03,Ａ14=-6.570E-03
第２面
ｋ=-1.721E+02,Ａ4=1.874E-02,Ａ6=-7.611E-03,Ａ8=3.263E-02,
Ａ10=-4.966E-02,Ａ12=1.001E-02,Ａ14=2.580E-03
第４面
ｋ=-1.194E+01,Ａ4=9.143E-03,Ａ6=-2.174E-02,Ａ8=5.124E-02,
Ａ10=-6.783E-02,Ａ12=7.778E-03,Ａ14=4.338E-03,Ａ16=-8.002E-03
第５面
ｋ=-5.216,Ａ4=4.034E-02,Ａ6=-1.310E-02,Ａ8=-1.655E-02,
Ａ10=-3.910E-03,Ａ12=2.559E-03,Ａ14=-5.434E-04,Ａ16=-7.361E-03
第６面
ｋ=-1.295E+01,Ａ4=1.180E-02,Ａ6=1.303E-02,Ａ8=-6.147E-03,
Ａ10=3.480E-02,Ａ12=-1.493E-02,Ａ14=9.846E-04,Ａ16=6.733E-04
第７面
ｋ=-3.238,Ａ4=-2.248E-02,Ａ6=1.301E-02,Ａ8=-7.431E-02,
Ａ10=5.050E-02,Ａ12=-6.288E-03,Ａ14=-1.521E-03,Ａ16=-1.611E-04
第８面
ｋ=3.974E-01,Ａ4=2.419E-01,Ａ6=-1.564E-01,Ａ8=1.215E-01,
Ａ10=-3.064E-02,Ａ12=-7.119E-04,Ａ14=4.073E-03
第９面
ｋ=-4.369E-01,Ａ4=-4.915E-02,Ａ6=4.233E-02,Ａ8=2.514E-03,
Ａ10=-3.558E-03,Ａ12=-5.412E-03
第１０面
ｋ=-1.742E+01,Ａ4=-1.407E-01,Ａ6=3.999E-02,Ａ8=-1.075E-02,
Ａ10=-1.509E-03,Ａ12=-1.967E-03
第１１面
ｋ=-2.047E+01,Ａ4=3.303E-02,Ａ6=-1.626E-02,Ａ8=-2.318E-03,
Ａ10=4.436E-04,Ａ12=1.642E-04
第１２面
ｋ=-3.169,Ａ4=1.486E-03,Ａ6=3.863E-03,Ａ8=9.200E-05,
Ａ10=-4.057E-05,Ａ12=-3.995E-05,Ａ14=1.148E-06,Ａ16=1.324E-06
第１３面
ｋ=-2.044E+01,Ａ4=-4.467E-02,Ａ6=5.836E-03,Ａ8=-6.978E-04,
Ａ10=8.093E-06,Ａ12=8.086E-06,Ａ14=8.094E-07,Ａ16=-2.979E-07
【００５１】
各条件式の値を以下に示す。
ｆ１／ｆ２＝−０．８８
ｆ３／ｆ＝０．９６
Ｒ２ｒ／Ｒ２ｆ＝０．４３
ｆ４／ｆ＝−１．９０
ｆ５／ｆ６＝−１．１５
このように、本数値実施例２に係る撮像レンズは上記各条件式を満足する。第１レンズＬ１の物体側の面から像面ＩＭまでの光軸Ｘ上の距離（空気換算長）は５．００ｍｍであり、撮像レンズの小型化が図られている。
【００５２】
図５は、数値実施例２の撮像レンズについて、像高比Ｈに対応する横収差を示したものであり、図６は、球面収差（ｍｍ）、非点収差（ｍｍ）、および歪曲収差（％）をそれぞれ示したものである。図５および図６に示されるように、本数値実施例２に係る撮像レンズによっても諸収差が良好に補正される。
【００５３】
数値実施例３
基本的なレンズデータを以下に示す。
f=4.40mm、Fno=2.5、ω=33.0°
単位    ｍｍ
面データ
面番号ｉ          ｒ           ｄ      ｎｄ    νｄ
（物面）          ∞           ∞
1*         3.116        0.551    1.5350    56.1(=νd1)
2*        -7.599       -0.025
3(絞り)       ∞        0.160
4*         2.390(=R2f)  0.354    1.6355    24.0(=νd2)
5*         1.004(=R2r)  0.156
6*         1.789        0.619    1.5350    56.1(=νd3)
7*        -8.278        0.551
8*        -1.271        0.402    1.6142    26.0(=νd4)
9*        -1.843        0.023
10*         3.656        0.492    1.5350    56.1(=νd5)
11*        -1.991        0.161
12*        -3.502        0.349    1.5350    56.1(=νd6)
13*         1.956        0.300
14             ∞        0.300    1.5168    64.2
15             ∞        1.107
（像面）          ∞
f1=4.19mm
f2=-3.00mm
f3=2.80mm
f4=-9.03mm
f5=2.48mm
f6=-2.29mm
【００５４】
非球面データ
第１面
ｋ=-1.565E-01,Ａ4=-6.190E-03,Ａ6=1.204E-02,Ａ8=-3.110E-02,
Ａ10=1.757E-02,Ａ12=1.462E-03,Ａ14=-4.370E-03
第２面
ｋ=-3.933E+02,Ａ4=3.189E-02,Ａ6=-1.100E-02,Ａ8=2.523E-02,
Ａ10=-5.143E-02,Ａ12=1.388E-02,Ａ14=4.468E-03
第４面
ｋ=-1.407E+01,Ａ4=1.397E-02,Ａ6=-1.095E-02,Ａ8=5.538E-02,
Ａ10=-7.193E-02,Ａ12=2.032E-03,Ａ14=3.502E-03,Ａ16=-2.582E-03
第５面
ｋ=-5.132,Ａ4=3.611E-02,Ａ6=-1.233E-02,Ａ8=-1.242E-02,
Ａ10=-2.266E-03,Ａ12=-6.220E-04,Ａ14=-6.606E-03,Ａ16=-1.153E-02
第６面
ｋ=-7.612,Ａ4=1.627E-02,Ａ6=1.227E-02,Ａ8=-6.782E-03,
Ａ10=3.400E-02,Ａ12=-1.660E-02,Ａ14=-1.613E-03,Ａ16=-2.404E-03
第７面
ｋ=-1.988E+01,Ａ4=-1.612E-02,Ａ6=1.547E-02,Ａ8=-7.175E-02,
Ａ10=5.162E-02,Ａ12=-6.116E-03,Ａ14=-1.470E-03,Ａ16=2.681E-04
第８面
ｋ=3.845E-01,Ａ4=2.391E-01,Ａ6=-1.544E-01,Ａ8=1.264E-01,
Ａ10=-2.749E-02,Ａ12=-5.408E-03,Ａ14=-5.930E-03
第９面
ｋ=-4.583E-01,Ａ4=-4.857E-02,Ａ6=4.264E-02,Ａ8=2.085E-03,
Ａ10=-4.194E-03,Ａ12=-5.846E-03
第１０面
ｋ=-7.810,Ａ4=-1.355E-01,Ａ6=3.890E-02,Ａ8=-1.125E-02,
Ａ10=-1.195E-03,Ａ12=-1.604E-03
第１１面
ｋ=-2.485E+01,Ａ4=3.149E-02,Ａ6=-1.625E-02,Ａ8=-2.313E-03,
Ａ10=4.426E-04,Ａ12=1.640E-04
第１２面
ｋ=-3.227,Ａ4=1.364E-03,Ａ6=3.790E-03,Ａ8=8.474E-05,
Ａ10=-3.919E-05,Ａ12=-3.888E-05,Ａ14=1.597E-06,Ａ16=1.480E-06
第１３面
ｋ=-2.078E+01,Ａ4=-4.456E-02,Ａ6=6.050E-03,Ａ8=-6.680E-04,
Ａ10=1.251E-05,Ａ12=8.848E-06,Ａ14=9.305E-07,Ａ16=-2.851E-07
【００５５】
各条件式の値を以下に示す。
ｆ１／ｆ２＝−１．４０
ｆ３／ｆ＝０．６４
Ｒ２ｒ／Ｒ２ｆ＝０．４２
ｆ４／ｆ＝−２．０５
ｆ５／ｆ６＝−１．０８
このように、本数値実施例３に係る撮像レンズは上記各条件式を満足する。第１レンズＬ１の物体側の面から像面ＩＭまでの光軸Ｘ上の距離（空気換算長）は５．４０ｍｍであり、撮像レンズの小型化が図られている。
【００５６】
図８は、数値実施例３の撮像レンズについて、像高比Ｈに対応する横収差を示したものであり、図９は、球面収差（ｍｍ）、非点収差（ｍｍ）、および歪曲収差（％）をそれぞれ示したものである。図８および図９に示されるように、本数値実施例３に係る撮像レンズによっても諸収差が良好に補正される。
【００５７】
数値実施例４
基本的なレンズデータを以下に示す。
f=4.04mm、Fno=2.2、ω=34.3°
単位    ｍｍ
面データ
面番号ｉ          ｒ           ｄ      ｎｄ    νｄ
（物面）          ∞           ∞
1*         2.199        0.779    1.5350    56.1(=νd1)
2*        -6.189       -0.025
3(絞り)       ∞        0.050
4*         2.689(=R2f)  0.320    1.6355    24.0(=νd2)
5*         1.262(=R2r)  0.299
6*         5.128        0.511    1.5350    56.1(=νd3)
7*        -8.502        0.335
8*        -1.242        0.320    1.6142    26.0(=νd4)
9*        -2.587        0.025
10*         3.890        0.525    1.5350    56.1(=νd5)
11*        -2.019        0.405
12*       -11.016        0.596    1.5350    56.1(=νd6)
13*         2.423        0.300
14             ∞        0.300    1.5168    64.2
15             ∞        0.547
（像面）          ∞
f1=3.12mm
f2=-4.06mm
f3=6.04mm
f4=-4.24mm
f5=2.56mm
f6=-3.64mm
【００５８】
非球面データ
第１面
ｋ=1.124E-02,Ａ4=-4.401E-04,Ａ6=1.420E-02,Ａ8=-2.080E-02,
Ａ10=1.444E-02,Ａ12=-1.066E-03,Ａ14=-2.248E-03
第２面
ｋ=-2.482E+02,Ａ4=4.370E-02,Ａ6=-1.229E-02,Ａ8=1.493E-02,
Ａ10=-5.074E-02,Ａ12=3.718E-02,Ａ14=-1.202E-02
第４面
ｋ=-8.863,Ａ4=-9.672E-04,Ａ6=1.480E-03,Ａ8=5.133E-02,
Ａ10=-1.195E-01,Ａ12=-9.295E-03,Ａ14=1.252E-01,Ａ16=-7.653E-02
第５面
ｋ=-5.543,Ａ4=4.950E-02,Ａ6=-7.857E-03,Ａ8=-2.161E-02,
Ａ10=-5.836E-04,Ａ12=-2.489E-03,Ａ14=-8.496E-03,Ａ16=-1.298E-03
第６面
ｋ=-9.334,Ａ4=-2.684E-02,Ａ6=-3.815E-03,Ａ8=-5.982E-03,
Ａ10=1.708E-03,Ａ12=-1.119E-02,Ａ14=4.147E-02,Ａ16=-3.250E-02
第７面
ｋ=-2.928E+01,Ａ4=-4.035E-02,Ａ6=-3.454E-03,Ａ8=-6.219E-02,
Ａ10=4.593E-02,Ａ12=-2.243E-03,Ａ14=-1.296E-02,Ａ16=-6.031E-03
第８面
ｋ=2.439E-01,Ａ4=2.058E-01,Ａ6=-9.988E-02,Ａ8=8.197E-02,
Ａ10=1.409E-01,Ａ12=-1.809E-01,Ａ14=6.322E-02
第９面
ｋ=2.831E-01,Ａ4=-1.309E-01,Ａ6=8.644E-02,Ａ8=7.415E-03,
Ａ10=-2.020E-04,Ａ12=-7.082E-03
第１０面
ｋ=-5.245E+01,Ａ4=-9.165E-02,Ａ6=3.480E-02,Ａ8=-2.605E-02,
Ａ10=-2.253E-04,Ａ12=-6.047E-05
第１１面
ｋ=-8.364,Ａ4=8.440E-02,Ａ6=-4.622E-02,Ａ8=-2.391E-04,
Ａ10=1.717E-03,Ａ12=2.658E-07
第１２面
ｋ=3.347,Ａ4=9.551E-03,Ａ6=8.061E-05,Ａ8=1.356E-06,
Ａ10=3.115E-05,Ａ12=-6.982E-06,Ａ14=1.049E-08,Ａ16=-1.186E-09
第１３面
ｋ=-1.362E+01,Ａ4=-2.176E-02,Ａ6=3.296E-03,Ａ8=-6.541E-04,
Ａ10=6.974E-05,Ａ12=1.396E-07,Ａ14=2.866E-08,Ａ16=-7.799E-08
【００５９】
各条件式の値を以下に示す。
ｆ１／ｆ２＝−０．７７
ｆ３／ｆ＝１．５０
Ｒ２ｒ／Ｒ２ｆ＝０．４７
ｆ４／ｆ＝−１．０５
ｆ５／ｆ６＝−０．７０
このように、本数値実施例４に係る撮像レンズは上記各条件式を満足する。第１レンズＬ１の物体側の面から像面ＩＭまでの光軸Ｘ上の距離（空気換算長）は５．１８ｍｍであり、撮像レンズの小型化が図られている。
【００６０】
図１１は、数値実施例４の撮像レンズについて、像高比Ｈに対応する横収差を示したものであり、図１２は、球面収差（ｍｍ）、非点収差（ｍｍ）、および歪曲収差（％）をそれぞれ示したものである。図１１および図１２に示されるように、本数値実施例４に係る撮像レンズによっても諸収差が良好に補正される。
【００６１】
数値実施例５
基本的なレンズデータを以下に示す。
f=5.11mm、Fno=2.4、ω=29.2°
単位    ｍｍ
面データ
面番号ｉ          ｒ           ｄ      ｎｄ    νｄ
（物面）          ∞           ∞
1*         2.377        0.676    1.5350    56.1(=νd1)
2*        -5.200       -0.025
3(絞り)       ∞        0.058
4*         2.813(=R2f)  0.331    1.6355    24.0(=νd2)
5*         1.243(=R2r)  0.276
6*         3.821        0.639    1.5350    56.1(=νd3)
7*        -3.725        0.485
8*        -1.298        0.444    1.6142    26.0(=νd4)
9*        -1.703        0.044
10*         6.979        0.491    1.5350    56.1(=νd5)
11*        -2.025        0.153
12*        -2.228        0.458    1.5350    56.1(=νd6)
13*         1.576        0.300
14             ∞        0.300    1.5168    64.2
15             ∞        0.480
（像面）          ∞
f1=3.14mm
f2=-3.78mm
f3=3.62mm
f4=-15.15mm
f5=2.98mm
f6=-1.65mm
【００６２】
非球面データ
第１面
ｋ=6.361E-01,Ａ4=-1.556E-02,Ａ6=9.451E-03,Ａ8=-2.615E-02,
Ａ10=1.806E-02,Ａ12=-2.202E-03,Ａ14=-3.359E-03
第２面
ｋ=-1.571E+02,Ａ4=3.246E-02,Ａ6=-2.819E-02,Ａ8=3.412E-02,
Ａ10=-4.488E-02,Ａ12=1.625E-02,Ａ14=-6.549E-03
第４面
ｋ=-1.246E+01,Ａ4=6.725E-03,Ａ6=-2.724E-02,Ａ8=5.080E-02,
Ａ10=-6.620E-02,Ａ12=2.141E-03,Ａ14=1.405E-02,Ａ16=-1.678E-02
第５面
ｋ=-5.543,Ａ4=4.034E-02,Ａ6=-1.188E-02,Ａ8=-1.632E-02,
Ａ10=-4.001E-03,Ａ12=4.135E-03,Ａ14=2.756E-03,Ａ16=-1.429E-02
第６面
ｋ=-9.478,Ａ4=1.333E-02,Ａ6=1.557E-02,Ａ8=-6.051E-03,
Ａ10=3.119E-02,Ａ12=-1.604E-02,Ａ14=-1.345E-03,Ａ16=2.909E-05
第７面
ｋ=-4.724,Ａ4=-2.092E-02,Ａ6=1.808E-02,Ａ8=-6.883E-02,
Ａ10=5.291E-02,Ａ12=-6.852E-03,Ａ14=-3.649E-03,Ａ16=-3.191E-03
第８面
ｋ=3.981E-01,Ａ4=2.239E-01,Ａ6=-1.615E-01,Ａ8=1.293E-01,
Ａ10=-2.130E-02,Ａ12=-2.284E-03,Ａ14=-6.718E-03
第９面
ｋ=-6.381E-01,Ａ4=-3.614E-02,Ａ6=4.160E-02,Ａ8=2.348E-03,
Ａ10=-2.639E-03,Ａ12=-4.504E-03
第１０面
ｋ=-1.362E+02,Ａ4=-1.384E-01,Ａ6=3.837E-02,Ａ8=-1.130E-02,
Ａ10=-1.896E-03,Ａ12=-1.949E-03
第１１面
ｋ=-2.204E+01,Ａ4=3.281E-02,Ａ6=-1.605E-02,Ａ8=-2.211E-03,
Ａ10=4.763E-04,Ａ12=1.740E-04
第１２面
ｋ=-3.541,Ａ4=2.692E-03,Ａ6=4.027E-03,Ａ8=1.108E-04,
Ａ10=-3.741E-05,Ａ12=-3.847E-05,Ａ14=1.508E-06,Ａ16=1.459E-06
第１３面
ｋ=-2.034E+01,Ａ4=-4.208E-02,Ａ6=5.939E-03,Ａ8=-6.706E-04,
Ａ10=1.254E-05,Ａ12=8.551E-06,Ａ14=8.188E-07,Ａ16=-3.043E-07
【００６３】
各条件式の値を以下に示す。
ｆ１／ｆ２＝−０．８３
ｆ３／ｆ＝０．７１
Ｒ２ｒ／Ｒ２ｆ＝０．４４
ｆ４／ｆ＝−２．９７
ｆ５／ｆ６＝−１．８１
このように、本数値実施例５に係る撮像レンズは上記各条件式を満足する。第１レンズＬ１の物体側の面から像面ＩＭまでの光軸Ｘ上の距離（空気換算長）は５．０１ｍｍであり、撮像レンズの小型化が図られている。
【００６４】
図１４は、数値実施例５の撮像レンズについて、像高比Ｈに対応する横収差を示したものであり、図１５は、球面収差（ｍｍ）、非点収差（ｍｍ）、および歪曲収差（％）をそれぞれ示したものである。図１４および図１５に示されるように、本数値実施例５に係る撮像レンズによっても諸収差が良好に補正される。
【００６５】
図１６、図１９、および図２２に示すように数値実施例６〜８の撮像レンズでは、開口絞りＳＴが第１レンズＬ１の物体側に配置されている。この開口絞りＳＴは、第１レンズＬ１の物体側の面の頂点接平面よりも物体側に配置するようにしてもよい。なお、数値実施例６〜８に係る撮像レンズでは、第１レンズＬ１の物体側の面の曲率半径を曲率半径ｒ２、像面側の面の曲率半径を曲率半径ｒ３と読み替えるものとする。
【００６６】
数値実施例６
基本的なレンズデータを以下に示す。
f=3.47mm、Fno=2.1、ω=35.7°
単位    ｍｍ
面データ
面番号ｉ          ｒ           ｄ      ｎｄ    νｄ
（物面）          ∞           ∞
1(絞り)       ∞       -0.150
2*         1.922        0.589    1.5350    56.1(=νd1)
3*       -13.833        0.042
4*         2.396(=R2f)  0.318    1.6355    24.0(=νd2)
5*         1.331(=R2r)  0.282
6*         3.827        0.464    1.5350    56.1(=νd3)
7*       -14.190        0.287
8*        -1.133        0.337    1.6355    24.0(=νd4)
9*        -1.899        0.027
10*         1.932        0.538    1.5350    56.1(=νd5)
11*        -1.746        0.140
12*        -2.109        0.430    1.5350    56.1(=νd6)
13*         1.765        0.170
14             ∞        0.145    1.5168    64.2
15             ∞        0.685
（像面）          ∞
f1=3.20mm
f2=-5.35mm
f3=5.68mm
f4=-5.34mm
f5=1.81mm
f6=-1.73mm
【００６７】
非球面データ
第２面
ｋ=0.000,Ａ4=-8.372E-04,Ａ6=3.222E-02,Ａ8=-3.710E-01,
Ａ10=9.753E-01,Ａ12=-1.152,Ａ14=4.579E-01
第３面
ｋ=0.000,Ａ4=-8.737E-02,Ａ6=2.495E-01,Ａ8=-5.841E-01,
Ａ10=6.647E-01,Ａ12=-5.936E-01,Ａ14=2.383E-01
第４面
ｋ=-3.591E+01,Ａ4=-3.104E-02,Ａ6=4.152E-02,Ａ8=5.876E-02,
Ａ10=-4.794E-01,Ａ12=3.343E-01
第５面
ｋ=-5.121,Ａ4=-5.003E-02,Ａ6=8.329E-02,Ａ8=-1.184E-02,
Ａ10=-2.476E-01,Ａ12=1.674E-01
第６面
ｋ=0.000,Ａ4=-1.298E-01,Ａ6=-6.014E-02,Ａ8=-4.986E-02,
Ａ10=1.150E-01,Ａ12=2.359E-02
第７面
ｋ=0.000,Ａ4=-8.535E-02,Ａ6=9.285E-03,Ａ8=-3.300E-01,
Ａ10=2.329E-01,Ａ12=7.564E-02
第８面
ｋ=0.000,Ａ4=4.836E-01,Ａ6=-3.244E-01,Ａ8=4.336E-02,
Ａ10=1.295E-01,Ａ12=1.734E-02,Ａ14=-2.172E-02
第９面
ｋ=-1.991E-01,Ａ4=-3.706E-02,Ａ6=1.419E-01,Ａ8=-2.192E-02,
Ａ10=-2.743E-02,Ａ12=1.052E-02
第１０面
ｋ=-9.688,Ａ4=-1.096E-01,Ａ6=5.499E-02,Ａ8=-5.287E-02,
Ａ10=5.087E-03,Ａ12=3.761E-03,Ａ14=-4.067E-05
第１１面
ｋ=-1.592E+01,Ａ4=1.307E-01,Ａ6=-6.968E-02,Ａ8=2.086E-03,
Ａ10=3.349E-03,Ａ12=5.275E-04,Ａ14=-2.942E-04
第１２面
ｋ=-9.191,Ａ4=6.745E-03,Ａ6=9.064E-03,Ａ8=-1.192E-03,
Ａ10=-5.723E-04,Ａ12=1.291E-05,Ａ14=5.359E-05,Ａ16=-7.482E-06
第１３面
ｋ=-1.488E+01,Ａ4=-5.052E-02,Ａ6=1.030E-02,Ａ8=-3.739E-03,
Ａ10=9.132E-05,Ａ12=1.210E-04,Ａ14=6.264E-06,Ａ16=-3.257E-06
【００６８】
各条件式の値を以下に示す。
ｆ１／ｆ２＝−０．６０
ｆ３／ｆ＝１．６４
Ｒ２ｒ／Ｒ２ｆ＝０．５６
ｆ４／ｆ＝−１．５４
ｆ５／ｆ６＝−１．０５
このように、本数値実施例６に係る撮像レンズは上記各条件式を満足する。第１レンズＬ１の物体側の面から像面ＩＭまでの光軸Ｘ上の距離（空気換算長）は４．４０ｍｍであり、撮像レンズの小型化が図られている。
【００６９】
図１７は、数値実施例６の撮像レンズについて、像高比Ｈに対応する横収差を示したものであり、図１８は、球面収差（ｍｍ）、非点収差（ｍｍ）、および歪曲収差（％）をそれぞれ示したものである。図１７および図１８に示されるように、本数値実施例６に係る撮像レンズによっても諸収差が良好に補正される。
【００７０】
数値実施例７
基本的なレンズデータを以下に示す。
f=3.56mm、Fno=2.0、ω=35.0°
単位    ｍｍ
面データ
面番号ｉ          ｒ           ｄ      ｎｄ    νｄ
（物面）          ∞           ∞
1(絞り)       ∞       -0.155
2*         2.076        0.544    1.6097    57.7(=νd1)
3*       -15.344        0.054
4*         2.269(=R2f)  0.323    1.6355    24.0(=νd2)
5*         1.180(=R2r)  0.340
6*         3.444        0.498    1.5350    56.1(=νd3)
7*      -109.703        0.284
8*        -1.169        0.320    1.6355    24.0(=νd4)
9*        -1.888        0.034
10*         1.917        0.586    1.5350    56.1(=νd5)
11*        -1.425        0.148
12*        -1.525        0.368    1.5350    56.1(=νd6)
13*         2.025        0.300
14             ∞        0.145    1.5168    64.2
15             ∞        0.574
（像面）          ∞
f1=3.04mm
f2=-4.38mm
f3=6.25mm
f4=-5.85mm
f5=1.63mm
f6=-1.57mm
【００７１】
非球面データ
第２面
ｋ=0.000,Ａ4=1.566E-02,Ａ6=2.088E-02,Ａ8=-3.718E-01,
Ａ10=9.770E-01,Ａ12=-1.079,Ａ14=4.256E-01
第３面
ｋ=0.000,Ａ4=-3.948E-02,Ａ6=2.914E-01,Ａ8=-6.289E-01,
Ａ10=7.026E-01,Ａ12=-5.161E-01,Ａ14=1.882E-01
第４面
ｋ=-2.866E+01,Ａ4=4.139E-02,Ａ6=2.968E-02,Ａ8=6.667E-02,
Ａ10=-4.295E-01,Ａ12=6.176E-01,Ａ14=-4.948E-01,Ａ16=2.024E-01
第５面
ｋ=-3.892,Ａ4=-4.570E-02,Ａ6=1.407E-01,Ａ8=-8.084E-02,
Ａ10=1.056E-01,Ａ12=-1.748E-01,Ａ14=-1.205E-02,Ａ16=1.090E-01
第６面
ｋ=0.000,Ａ4=-1.483E-01,Ａ6=-6.069E-03,Ａ8=-4.182E-02,
Ａ10=1.155E-01,Ａ12=2.803E-02,Ａ14=-1.337E-02,Ａ16=-1.763E-02
第７面
ｋ=0.000,Ａ4=-8.940E-02,Ａ6=1.846E-02,Ａ8=-2.639E-01,
Ａ10=1.313E-01,Ａ12=1.293E-01,Ａ14=-2.445E-02,Ａ16=-2.722E-02
第８面
ｋ=0.000,Ａ4=4.686E-01,Ａ6=-3.065E-01,Ａ8=5.616E-02,
Ａ10=8.099E-02,Ａ12=8.334E-03,Ａ14=-1.510E-02
第９面
ｋ=-3.524E-01,Ａ4=-1.793E-02,Ａ6=1.294E-01,Ａ8=-2.717E-02,
Ａ10=-2.416E-02,Ａ12=8.365E-03
第１０面
ｋ=-1.508E+01,Ａ4=-9.813E-02,Ａ6=6.558E-02,Ａ8=-5.815E-02,
Ａ10=-1.595E-03,Ａ12=1.065E-02,Ａ14=-3.598E-03
第１１面
ｋ=-1.585E+01,Ａ4=1.326E-01,Ａ6=-6.640E-02,Ａ8=-4.585E-03,
Ａ10=4.563E-03,Ａ12=6.051E-04,Ａ14=-3.576E-04
第１２面
ｋ=-1.756E+01,Ａ4=-4.052E-03,Ａ6=6.890E-03,Ａ8=1.628E-04,
Ａ10=-4.026E-04,Ａ12=-2.141E-05,Ａ14=4.016E-05,Ａ16=-5.913E-06
第１３面
ｋ=-1.696E+01,Ａ4=-6.286E-02,Ａ6=1.292E-02,Ａ8=-3.637E-03,
Ａ10=7.523E-05,Ａ12=1.650E-04,Ａ14=4.066E-06,Ａ16=-4.436E-06
【００７２】
各条件式の値を以下に示す。
ｆ１／ｆ２＝−０．６９
ｆ３／ｆ＝１．７６
Ｒ２ｒ／Ｒ２ｆ＝０．５２
ｆ４／ｆ＝−１．６４
ｆ５／ｆ６＝−１．０４
このように、本数値実施例７に係る撮像レンズは上記各条件式を満足する。第１レンズＬ１の物体側の面から像面ＩＭまでの光軸Ｘ上の距離（空気換算長）は４．４７ｍｍであり、撮像レンズの小型化が図られている。
【００７３】
図２０は、数値実施例７の撮像レンズについて、像高比Ｈに対応する横収差を示したものであり、図２１は、球面収差（ｍｍ）、非点収差（ｍｍ）、および歪曲収差（％）をそれぞれ示したものである。図２０および図２１に示されるように、本数値実施例７に係る撮像レンズによっても諸収差が良好に補正される。
【００７４】
数値実施例８
基本的なレンズデータを以下に示す。
f=3.56mm、Fno=2.1、ω=35.0°
単位    ｍｍ
面データ
面番号ｉ          ｒ           ｄ      ｎｄ    νｄ
（物面）          ∞           ∞
1(絞り)       ∞       -0.130
2*         2.171        0.536    1.5350    56.1(=νd1)
3*       -16.716        0.068
4*         2.320(=R2f)  0.324    1.6355    24.0(=νd2)
5*         1.345(=R2r)  0.326
6*         2.849        0.493    1.5350    56.1(=νd3)
7*      -102.129        0.199
8*        -1.110        0.366    1.6355    24.0(=νd4)
9*        -1.971        0.029
10*         1.932        0.560    1.5350    56.1(=νd5)
11*        -1.937        0.107
12*        -3.634        0.511    1.5350    56.1(=νd6)
13*         1.671        0.130
14             ∞        0.145    1.5168    64.2
15             ∞        0.895
（像面）          ∞
f1=3.63mm
f2=-5.79mm
f3=5.19mm
f4=-4.78mm
f5=1.90mm
f6=-2.07mm
【００７５】
非球面データ
第２面
ｋ=0.000,Ａ4=-7.783E-03,Ａ6=7.620E-02,Ａ8=-3.686E-01,
Ａ10=8.500E-01,Ａ12=-1.015,Ａ14=4.390E-01
第３面
ｋ=0.000,Ａ4=-5.979E-02,Ａ6=2.750E-01,Ａ8=-6.564E-01,
Ａ10=6.601E-01,Ａ12=-5.199E-01,Ａ14=2.507E-01
第４面
ｋ=-2.876E+01,Ａ4=5.087E-02,Ａ6=-1.171E-01,Ａ8=1.793E-01,
Ａ10=-5.658E-01,Ａ12=4.080E-01
第５面
ｋ=-5.319,Ａ4=-3.335E-02,Ａ6=1.622E-01,Ａ8=-3.286E-01,
Ａ10=1.376E-01,Ａ12=-7.740E-02,Ａ14=5.504E-02,Ａ16=1.640E-02
第６面
ｋ=0.000,Ａ4=-1.151E-01,Ａ6=3.794E-03,Ａ8=5.356E-02,
Ａ10=-1.007E-01,Ａ12=2.535E-02
第７面
ｋ=0.000,Ａ4=-7.498E-02,Ａ6=7.839E-02,Ａ8=-2.250E-01,
Ａ10=6.004E-02,Ａ12=9.249E-02,Ａ14=5.964E-02,Ａ16=-8.689E-02
第８面
ｋ=0.000,Ａ4=4.826E-01,Ａ6=-1.856E-01,Ａ8=1.117E-01,
Ａ10=3.185E-02,Ａ12=-6.741E-02,Ａ14=4.585E-02
第９面
ｋ=-1.101,Ａ4=-3.279E-02,Ａ6=1.545E-01,Ａ8=1.219E-03,
Ａ10=-3.334E-02,Ａ12=2.019E-03
第１０面
ｋ=-5.408,Ａ4=-1.433E-01,Ａ6=9.097E-02,Ａ8=-6.151E-02,
Ａ10=-3.529E-03,Ａ12=4.316E-03,Ａ14=1.057E-03
第１１面
ｋ=-2.514E+01,Ａ4=9.315E-02,Ａ6=-5.986E-02,Ａ8=-7.744E-03,
Ａ10=7.412E-03,Ａ12=-4.403E-04,Ａ14=4.173E-05
第１２面
ｋ=-5.128E-01,Ａ4=-2.589E-02,Ａ6=1.454E-02,Ａ8=3.123E-03,
Ａ10=-1.086E-03,Ａ12=-7.293E-05,Ａ14=4.243E-05,Ａ16=-4.097E-06
第１３面
ｋ=-1.625E+01,Ａ4=-6.236E-02,Ａ6=1.459E-02,Ａ8=-3.800E-03,
Ａ10=3.424E-04,Ａ12=8.079E-05,Ａ14=-2.832E-05,Ａ16=2.256E-06
【００７６】
各条件式の値を以下に示す。
ｆ１／ｆ２＝−０．６３
ｆ３／ｆ＝１．４６
Ｒ２ｒ／Ｒ２ｆ＝０．５８
ｆ４／ｆ＝−１．３４
ｆ５／ｆ６＝−０．９２
このように、本数値実施例８に係る撮像レンズは上記各条件式を満足する。第１レンズＬ１の物体側の面から像面ＩＭまでの光軸Ｘ上の距離（空気換算長）は４．６４ｍｍであり、撮像レンズの小型化が図られている。
【００７７】
図２３は、数値実施例８の撮像レンズについて、像高比Ｈに対応する横収差を示したものであり、図２４は、球面収差（ｍｍ）、非点収差（ｍｍ）、および歪曲収差（％）をそれぞれ示したものである。図２３および図２４に示されるように、本数値実施例８に係る撮像レンズによっても諸収差が良好に補正される。
【００７８】
以上説明した本実施の形態に係る撮像レンズによれば、約７０°の画角（２ω）を実現することができる。ちなみに数値実施例１〜８の撮像レンズの画角は５８．４°〜７１．４°の広い画角を実現している。本実施の形態に係る撮像レンズによれば、従来の撮像レンズよりも広い範囲を撮影することが可能となる。
【００７９】
また、近年ではカメラの性能向上を目的として高画素の撮像素子が撮像レンズと組み合わせられることが多くなってきた。こうした高画素の撮像素子では各画素の受光面積が減少するため、撮影した画像が暗くなる傾向にある。これを補正するための方法として、電気回路を用いて撮像素子の受光感度を向上させる方法がある。しかしながら、受光感度が上がると画像の形成に直接寄与しないノイズ成分も増幅されてしまうため、新たにノイズ低減のための回路が必要になる。数値実施例１〜８の撮像レンズのＦｎｏは２．０〜２．５と非常に小さな値となっている。本実施の形態に係る撮像レンズによれば、上記電気回路等を設けなくても十分に明るい画像を得ることができる。
【００８０】
したがって、上記実施の形態に係る撮像レンズを携帯電話機、携帯情報端末、およびスマートフォン等の携帯機器に内蔵されるカメラや、デジタルスティルカメラ、セキュリティカメラ、車載カメラ、ネットワークカメラ等の撮像光学系に適用した場合、当該カメラ等の高機能化と小型化の両立を図ることができる。
【産業上の利用可能性】
【００８１】
本発明は、携帯電話機、スマートフォン、携帯情報端末等の携帯機器に内蔵されるカメラ、デジタルスティルカメラ、セキュリティカメラ、車載カメラ、ネットワークカメラ等の比較的小型のカメラに組み込まれる撮像レンズに適用することができる。
【符号の説明】
【００８２】
ＳＴ    開口絞り
Ｌ１    第１レンズ
Ｌ２    第２レンズ
Ｌ３    第３レンズ
Ｌ４    第４レンズ
Ｌ５    第５レンズ
Ｌ６    第６レンズ
１０    フィルタ
【図１】
2014026254.tif 000004
【図２】
2014026254.tif 000005
【図３】
2014026254.tif 000006
【図４】
2014026254.tif 000007
【図５】
2014026254.tif 000008
【図６】
2014026254.tif 000009
【図７】
2014026254.tif 000010
【図８】
2014026254.tif 000011
【図９】
2014026254.tif 000012
【図１０】
2014026254.tif 000013
【図１１】
2014026254.tif 000014
【図１２】
2014026254.tif 000015
【図１３】
2014026254.tif 000016
【図１４】
2014026254.tif 000017
【図１５】
2014026254.tif 000018
【図１６】
2014026254.tif 000019
【図１７】
2014026254.tif 000020
【図１８】
2014026254.tif 000021
【図１９】
2014026254.tif 000022
【図２０】
2014026254.tif 000023
【図２１】
2014026254.tif 000024
【図２２】
2014026254.tif 000025
【図２３】
2014026254.tif 000026
【図２４】
2014026254.tif 000027